(57)【要約】      （修正有）【課題】スポーツ、釣り等の運動の衝撃または風圧等を受ける用途において要求される機能を具備する帽子を提供する。【解決手段】帽体部の下端周縁部２ａの前半部側において、両側縁が低位となる凸湾曲に形成され、かつ基縁部の左右の左端基縁部と右端基縁部を除く部分が帽体部の下端周縁部の前半部に対して前方に離間する凹陥基縁部に形成されて接続された鍔部４とからなる帽子であって、前記帽体部の下端周縁部の前半部側と鍔部の凹陥基縁部との間に張力調整部３が介在接続されてなる。【選択図】図３
0003159821.tif 000002
【実用新案登録請求の範囲】
【請求項１】
帽体部の下端周縁部の前半部側において、両側縁が低位となる凸湾曲に形成され、かつ基縁部の左右の左端基縁部と右端基縁部を除く部分が帽体部の下端周縁部の前半部に対して前方に離間する凹陥基縁部に形成されて接続された鍔部とからなる帽子であって、前記帽体部の下端周縁部の前半部側と鍔部の凹陥基縁部との間に張力調整部が介在接続されてなる帽子。
【請求項２】
バンド状側部の下端周縁部の前半部側において、両側縁が低位となる凸湾曲に形成され、かつ基縁部の左右の左端基縁部と右端基縁部を除く部分が帽体部の下端周縁部の前半部に対して前方に離間する凹陥基縁部に形成されて接続された鍔部とからなるサンバイザーであって、前記バンド状側部の下端周縁部の前半部側と鍔部の張力調整部用切欠部の凹陥基縁部との間に張力調整部が介在接続されてなるサンバイザー。
【考案の詳細な説明】
【技術分野】
【０００１】
本考案は、一般の帽子としてはもとよりスポーツ、釣り等の運動の衝撃または風圧等を受ける用途において好適な帽子（サンバイザーを含む）に関するものである。
【背景技術】
【０００２】
特許文献１には、皮革並びに該代用品より成る短冊状屈撓版１の上縁辺にゴムテープ２を逢着せしめ、該テープ上に適数の鉤３、４を逢着して成る帽子寸法調節具の構造が提案されている。
【０００３】
特許文献２には、合成樹脂を原料として形成された帽子芯材１と、この帽子芯材１を出し入れするための略へ状の開口部を鍔部上面に形成すると共に、その開口部を閉塞するためのホックを設けた帽子カバーとからなるファッション帽子が提案されている。
【０００４】
特許文献３には、ポリエステル繊維６５重量％と綿３５重量％の混紡糸から丸編機を使用して二重編の緯編成布を作り、これから帽子本体Ｃを製造し、ラテックスカバード糸を緯糸として使用し、ポリエステル繊維６５重量％と綿３５重量％の混紡糸を経糸として使用して、細幅織機で幅３ｃｍの弾性織布を織成して汗取り帯Ｂを製造し、公知の方法で前記帽子本体Ｃと前記汗取り帯Ｂと帽子ひさしＡを部分的に逢着して構成する帽子が提案されている。
【０００５】
特許文献４には、クラウン部の頭回りに、伸縮性を有する汗取りバンドが縫付けられ、この汗取りバンドが、汗の吸汗、移動、拡散、蒸散に優れる伸縮性を有する素材からなり、前額部において、三日月状の伸縮性の調整帯を介してツバ部に縫付けられているフリーサイズ涼感キャップが提案されている。
【先行技術文献】
【特許文献】
【０００６】
【特許文献１】実公昭１２−９４０４号公報
【特許文献２】実開昭６２−１８００２７号公報
【特許文献３】特開２００１−１１５３２６号公報
【特許文献４】特開２００３−１８３９２３号公報
【考案の概要】
【考案が解決しようとする課題】
【０００７】
特許文献１は、前述のように、帽子のスベリの内側に短冊状屈撓版１を鉤３、４により掛け吊り配備して頭とスベリの間に厚みを作り、着用者に帽子を適合させるものであるから、その調節は短冊状屈撓版１の厚みに限定され、その調整幅は一定で着用者の頭の大小に広く適用できなく、汎用性に欠けるものである。
【０００８】
特許文献２は、合成樹脂を原料としてＵ字形に形成された帽子芯材１を押し広げ、その拡開から発生する復帰弾力による締付け力で帽体を保持するものであるから、着用時に、締付け力が弱いと風圧、動揺、その他で頭から脱落のおそれがあり、その締付け力が強いと締付痛が発生し、長時間の着用を困難とするものである。
【０００９】
特許文献３は、前述のように構成するものであるから、二重編の緯編成布による帽子本体Ｃの伸縮性に弾性織布による汗取り帯Ｂの伸縮性をプラスするもので、帽子本体Ｃのゆったりサイズを弾性織布による汗取り帯Ｂによる締め付けで大幅にサイズの調整を図ることができるようにしたものであり、締付け力を発揮する点では、前記特許文献２と同様の欠点がある。
【００１０】
特許文献４は、前述のように、クラウン部の頭回りに、伸縮性を有する汗取りバンドが縫付けられ、この汗取りバンドがクラウン部の前額部において、三日月状の伸縮性の調整帯を介してツバ部に縫付けられるから、調整帯がもたらす大幅なサイズ調節を可能にするものであるが、それだけに自由度が大きくなり、特に着用者の頭部が小さいサイズである時には緩すぎて保持性に欠けるものである。また、クラウン部に対してツバ部は調整帯を介しているため、ツバ部を定位置に固定できない欠点がある。
【００１１】
本考案は、前記特許文献１、２、３、及び４における上記各欠点を夫々解消し、着用者の頭部に適切な締付け力で締付感および締付痛を発生しないことを目的に案出したものである。
【課題を解決するための手段】
【００１２】
帽体部の下端周縁部の前半部側において、両側縁が低位となる凸湾曲に形成され、かつ基縁部の左右の左端基縁部と右端基縁部を除く部分が帽体部の下端周縁部の前半部に対して前方に離間する凹陥基縁部に形成されて接続された鍔部とからなる帽子であって、前記帽体部の下端周縁部の前半部側と鍔部の凹陥基縁部との間に張力調整部が介在接続されてなる帽子にある。
【００１３】
バンド状側部の下端周縁部の前半部側において、両側縁が低位となる凸湾曲に形成され、かつ基縁部の左右の左端基縁部と右端基縁部を除く部分が帽体部の下端周縁部の前半部に対して前方に離間する凹陥基縁部に形成されて接続された鍔部とからなるサンバイザーであって、前記バンド状側部の下端周縁部の前半部側と鍔部の張力調整部用切欠部の凹陥基縁部との間に張力調整部が介在接続されてなるサンバイザーにある。
【考案の効果】
【００１４】
本考案の帽子は、以上のように構成されるから、サイズ調整部により着用者の頭部に調整して着用すると、着用者の頭部には鍔部の左端基縁部と右端基縁部が当接して帽体部および鍔部の保形を奏し、鍔部の左端基縁部と右端基縁部の間の張力調整部は湾曲されて帽体部と共に当接し、張力調整部の弾力機能から着用者の頭部を適度に締め付け、最適度の張力で保持機能を奏する。また、鍔部の左端基縁部と右端基縁部の部分と張力調整部が当接するから鍔部の芯板の硬質形状に当接することがなく痛感を受けることがない。
【００１５】
また、帽体部の前部では着用者の汗が帽体部より張力調整部に吸収されて蒸散し、帽体部および鍔部を冷却する機能がある。また、着用者の汗が張力調整部に吸収されて汗染みが帽体部および鍔部に拡大するのを防止する。
【００１６】
張力調整部、帽体部および鍔部に抗菌部材、吸湿部材を使用することにより帽子の部分または全体に抗菌・吸湿機能を奏することもできる。
【００１７】
本考案の帽子は前述の機能を奏するから、スポーツ、釣り等の運動の衝撃、風圧を受ける用途に適する。
【図面の簡単な説明】
【００１８】
【図１】図１は、本考案の第１実施例の帽子を示す正面上方からの外観斜視図である。
【図２】図２は、同じく、本考案の第１実施例の帽子を示す背面上方からの外観斜視図である。
【図３】図３は、同じく、本考案の第１実施例の帽子を示す背面からの内面斜視図である。
【図４】図４は、同じく、本考案の第１実施例の帽子の帽体部と張力調整部と鍔部の縫製状態を示す拡大部分平面図である。
【図５】図５は、同じく、本考案の第１実施例の帽子の帽体部と張力調整部と鍔部を分解した部材の分解平面図である。
【図６】図６は、同じく、本考案の帽子の鍔部と帽体部と張力調整部の縫製状態の拡大部分縦断面図である。
【図７】図７は、張力調整部の平面形状が台形型の実施例を示す部分平面図である。
【図８】図８は、張力調整部の平面形状が凹凸にデザインされた実施例を示す部分平面図である。
【図９】図９は鍔部の表面布と張力調整部の表面布が同一のもので構成される実施例を示す拡大部分縦断面図である。
【図１０】図１０は鍔部の裏面布と張力調整部の裏面布が同一のもの布で構成される実施例を示す拡大部分縦断面図である。
【図１１】図１１は鍔部が芯板のみから構成される実施例を示す拡大部分縦断面図である。
【図１２】図１２は凸湾に保定される鍔部の芯板が頭体により左右に湾曲して内径を拡大可能であることを説明する説明図である。
【図１３】図１３は、本考案の第１実施例の帽子において、帽体部の後部に大幅にサイズの調整が可能なサイズ調整部を配備した実施例を示す背面上方からの外観斜視図である。
【図１４】図１４は、同じく、サイズ調整部を配備した実施例を示す背面からの内面斜視図である。
【図１５】図１５は、本考案の第２実施例のサンバイザーを示す斜視図である。
【考案を実施するための形態】
【００１９】
帽体部と張力調整部と鍔部から構成される帽子において、前記鍔部は、両側縁が低位となる凸湾曲に形成され、かつ前記帽体部の下端周縁部の前半部側と接続する基縁部の左右の左端基縁部と右端基縁部を除く部分が帽体部の下端周縁部の前半部に対して前方に離間する凹陥基縁部に形成され、前記帽体部の下端周縁部の前半部側と鍔部の凹陥基縁部との間に張力調整部の前縁部と後縁部が縫製接続され、張力調整部が介在されてなる帽子。
【実施例】
【００２０】
以下、本考案の帽子を図面に示す実施例により説明すると、第１実施例の帽子１は、図１〜図１４に示す通りであって、帽体部２と張力調整部３と鍔部４から構成され、前記鍔部４は、両側縁が低位となる凸湾曲に形成され、かつ帽体部２の下端周縁部２ａの前半部２ａ１側と接続する基縁部４ａの左右の左端基縁部４ａ１と右端基縁部４ａ２を除く部分が、帽体部２の下端周縁部２ａの前半部２ａ１に対して前方に離間する凹陥基縁部５に形成され、前記帽体部２の下端周縁部２ａの前半部２ａ１側と鍔部４の凹陥基縁部５との間に張力調整部３の前縁部３ａと後縁部３ｂが縫製接続され、張力調整部３が介在されてなるものである。
【００２１】
前記帽体部２は、外面を構成する本体布６とその内面を周回するスベリ７が下端周縁部おいて逢着される。
【００２２】
前記帽体部２を構成する本体布６とスベリ７は、柔軟性、摩擦力、良好な感触性を有す織地、編地が用いられる。
【００２３】
前記張力調整部３は、図５および図６に示すように、中芯布８の上下に表面布９と裏面布１０を重合した後、前縁部３ａと後縁部３ｂが縫製される。その実施例の平面形状は三日月状であるが、図７に示すように、鍔部４の凹陥基縁部５の形状を左右の側縁が直線である台形に屈曲形成し、張力調整部３の全体が図示のように湾曲するものであっても、また、図８に示すように、鍔部４の凹陥基縁部５の形状を凹凸させて設け、張力調整部３にデザイン性を付与してもよいものである。
【００２４】
前記張力調整部３は、中芯布８を抗菌性部材により構成してもよい。抗菌性部材としては、例えば、特開２００４−１４３６０７公報で提案される繊維製品、特開２００６−１６９７９９公報で提案される抗菌・難燃性ポリエステル系繊維等をあげる。
【００２５】
前記張力調整部３は、表面布９と裏面布１０を中芯布８に提案する抗菌性部材を用いてもよいものである。
【００２６】
前記張力調整部３は、中芯布８を吸湿部材により構成してもよい。吸湿性部材には、例えば、吸湿性を備えるナイロン、セルローズ系繊維等を使用してなる織地、編地がある。また、ナイロン、セルローズ系繊維と、アクリル系繊維、ポリエステル系繊維の一種又は数種とを使用してなる織地、編地がある。あるいは、高分子繊維からなる不織布がある。
【００２７】
前記張力調整部３は、表面布９と裏面布１０を中芯布８に提案する吸湿性部材を用いてもよいものである。
【００２８】
前記張力調整部３は、中芯布８を吸湿性部材により構成し、表面布９または裏面布１０もしくは表面布９および裏面布１０の両方を抗菌性部材により構成してもよいものである。
【００２９】
前記張力調整部３は、図示しないが、単層部材、すなわち、一枚の織地、編地、不織布から構成してもよいものである。この単層部材についても、前記中芯布８に提案する抗菌性部材および吸湿性部材を用いてもよいものである。
【００３０】
前記鍔部４は、同じく、図６に示すように、芯板１１を内蔵し、その上面と下面を表面布１２と裏面布１３と前両側面布１４により縫製被覆される。図示しないが、鍔部４は、その上面と下面を表面布１２と裏面布１３により縫製被覆されるものでもよい。
【００３１】
前記張力調整部３と前記鍔部４は、同じく、図６に示すように、張力調整部３の前縁部３ａを鍔部４の凹陥基縁部５において表面布９と裏面布１０の間に差し入れた後、縫製されて張力調整部３と鍔部４が一体に接続する。
【００３２】
前記張力調整部３と前記帽体部２は、図３に示すように、張力調整部３の後縁部３ｂ及び張力調整部３と一体に左右に縫製されて接続する鍔部４の左端基縁部４ａ１、右端基縁部４ａ２を含めて、帽体部２の下端周縁部２ａの前半部側において、外面を構成する本体布６とスベリ７の間に差し入れた後、張力調整部３と鍔部４と帽体部２の三者が縫製されて一体に接続される。
【００３３】
前記鍔部４の芯板１１は、着帽時に張力調整部３の張力により変形しない剛性と曲げ応力を受けたときに湾曲する柔軟性と元の形状に復帰する弾力性を具えて鍔部４の形状を一定に保持する定形性を有するボード板が用いられる。そこで、図示のように、鍔部４は湾曲した状態に保持される。
【００３４】
前記張力調整部３の表面布９は、図９に示すように、鍔部４において、上面を表装する表面布１２ａを延長して縫製してもよいものである。この場合に、メッシュ布を選択してもよいものである。また、図示のように、鍔部４の縁回りを表装テープ１５により表装してもよいものである。この表装テープ１５により鍔部４と帽体部２の縁回りを連続して縫製し、帽体部２の本体布６とスベリ７またはスベリ７の代わりに縫製される内布（図示しない）の下縁を被覆して表装してもよいものである。
【００３５】
前記張力調整部３の裏面布１０は、図１０に示すように、鍔部４において、下面を表装する裏面布１３ａを延長して縫製してもよいものである。この場合に、前記図９に示す表面布１２ａと同様にメッシュ布を選択してもよいものである。また、図示のように、鍔部４の縁回りを表装テープ１５により表装してもよいものである。この表装テープ１５により鍔部４と帽体部２の縁回りを連続して縫製してもよいことは同様である。その実施例の外観は、図８に示すようになる。
【００３６】
図示しないが、前記張力調整部３の表面布９は、鍔部４において上面を表装する表面布１２ａを延長し、裏面布１０は鍔部４において下面を表装する裏面布１３ａを延長して夫々縫製してもよいものである。
【００３７】
前記鍔部４は、芯板１１を内蔵し、その上面と下面を表面布１２と裏面布１３と前両側面布１４または表面布１２と裏面布１３と表装テープ１５により縫製被覆される実施例を説明したが芯板１１のみから構成してもよく、その場合は、図１１に示すように、前記張力調整部３の表面布９と裏面布１０の前縁部３ａを内側に折り込んだ後、芯板１１の凹陥基縁部５に縫製される接続するように構成してもよいものである。
【００３８】
前述のように、第１実施例の帽子１は構成されるから、例えば、その帽子１を帽体部２の内径、鍔部４の芯板１１の左右の幅および凹陥基縁部５の深さによりサイズを大・中・小の三サイズとして縫製した帽子を用意し、その中から着用者は適合するものを選択して着帽すると、帽子１の鍔部４は芯板１１で湾曲した状態に保形されており、着用者の頭部には鍔部４の左端基縁部４ａ１と右端基縁部４ａ２が当接し、帽体部２と鍔部４の形状は保形されてデザインされた美麗な形態が保持される。そして、鍔部４の左端基縁部４ａ１と右端基縁部４ａ２の間に形成された凹陥基縁部５に接続する張力調整部３の後縁部３ｂを帽体部２に接続し、また、鍔部４は芯板１１により湾曲しているので、例えば、着用者の頭部が帽体部２内に入ると、図１２に示すように、鍔部４の左端基縁部４ａ１と右端基縁部４ａ２を外方へ拡開湾曲させて凹陥基縁部５の湾曲径拡開し、また、張力調整部３は湾曲されて着用者の頭部に当接し、張力調整部３の弾力機能から着用者の頭部を適度に締め付け、最適度の張力で保持機能を奏するものである。また、着用者の頭部には、鍔部４の左端基縁部４ａ１と右端基縁部４ａ２の部分と張力調整部３の後縁部３ｂが当接するから鍔部４の内部の芯板１１の硬質形状による不適合痛を受けることがない。
【００３９】
また、鍔部４には、前述のように、張力調整部３が接続し、その後縁部３ｂが帽体部２に接続しているので、帽体部２の前半部２ａ１では着用者の汗が帽体部２より張力調整部３に吸収されて蒸散し、帽体部２および鍔部４を冷却する機能がある。また、着用者の汗が張力調整部３に吸収されて汗染みが帽体部２および鍔部４に拡大するのを防止するものである。
【００４０】
張力調整部３、帽体部２および鍔部４に抗菌部材、吸湿部材を使用することにより第１実施例の帽子１の部分または全体に抗菌・吸湿機能を奏することもできる。
【００４１】
前記帽子１において、図１３および図１４に示すように、帽体部２の後半部２ａ２に、下端周縁２ａに開口するサイズ調整用切欠部１６を設け、そのサイズ調整用切欠部１６の左内側縁部１６ａから、二つ折りして対応する掛合面の雄掛面１７ａと雌掛面１７ｂを備える面ファスナーバンド１７を突出して配備し、前記サイズ調整用切欠部１６の右内側縁部１６ｂから先端に接続環１８を有するバンド１９を突出して配備し、前記面ファスナーバンド１７の雄掛面１７ａと雌掛面１７ｂの掛合位置を移動してバンド１９への接続長を伸縮して帽体部２の後半部２ａ２に大幅にサイズの調整が可能なサイズ調整部２０を構成してもよいものである。
【００４２】
前記サイズ調整部２０は、図示の実施例に限定しない。前記サイズ調整用切欠部１６の左内側縁部１６ａと右内側縁部１６ｂの間を、図示しないが、調整環によりバンド長を調整して拡縮するもの、帽体部外面にスライドレールに嵌合し移動自在である共に任意の位置で係合する調整駒に接続するバンド長を拡縮するもの、両バンドの対面部に長手方向に等間隔に所要長さに凸部と凹部を設け、その凸部と凹部を長手方向に移動させて係合して両バンド長を拡縮するもの等公知の調整具が選択される。
【００４３】
前記帽子１の帽体部２の後半部２ａ２に前記サイズ調整部２０を配備した実施例では、サイズ調整部２０により着用者の頭部に大幅に調整して着用することができ、帽子１のサイズを大・中・小の複数サイズの帽子を用意することなく一つのサイズで足りるフリーサイズ帽子とすることができる。
【００４４】
次に、本考案の帽子の第２実施例のサンバイザー２１を図１５により説明すると、第１実施例の帽子１の帽体部２に相当するバンド状側部２２に第１実施例の帽子１の張力調整部３に相当する張力調整部２３と第１実施例の帽子１の鍔部４に相当する鍔部２４が第１実施例の帽子１の帽体部２と同様にバンド状側部２２の前半部２２ａに縫製されて接続する。
【００４５】
バンド状側部２２の左後端縁部２２ｂ１と右後端縁部２２ｂ２には、第１実施例の帽子１の帽体部２の後半部２ａ２と同様に、左後端縁部２２ｂ１から面ファスナーバンド２５が右側へ突出して配備され、右後端縁部２２ｂ２から先端に接続環２６を有するバンド２７が左側へ突出して配備されて大幅にサイズの調整が可能なサイズ調整部２８が構成されている。
【００４６】
前記バンド状側部２２は、第１実施例の帽子１の帽体部２の外面を構成する本体布６と同様の本体布２９と第１実施例の帽子１の帽体部２の内面を構成するスベリ７と同様かそれ以上の柔軟性、ズリ落ちない摩擦力、良好な感触性を有する素材をもちいる内面布３０が縫製されて構成される。なお、本体布２９と内面布３０との間には、図示しないが、適度の弾性を有する芯板を内蔵させてもよいものである。
【００４７】
本考案の帽子の第２実施例のサンバイザー２１は張力調整部２３を備えて第１実施例の帽子１と同様のサイズ適合効果を奏するものである。
【産業上の利用可能性】
【００４８】
本考案は、一般の帽子としてはもとよりスポーツ、釣り等の運動の衝撃または風圧等を受ける用途において要求される機能を具備し、張力調整部のデザイン性から着用者の趣向に適合して需要を喚起し、繊維製品業界の発展に寄与するものである。
【符号の説明】
【００４９】
１  第１実施例の帽子
２  帽体部
２ａ  下端周縁部
２ａ１  前半部
２ａ２  後半部
３  張力調整部
３ａ  前縁部
３ｂ  後縁部
４  鍔部
４ａ  基縁部
４ａ１  左端基縁部
４ａ２  右端基縁部
５  凹陥基縁部
６  本体布
７  スベリ
８  中芯布
９  表面布
１０  裏面布
１１  芯板
１２  表面布
１２ａ  表面布
１３  裏面布
１３ａ  裏面布
１４  前両側面布
１５  表装テープ
１６  サイズ調整用切欠部
１６ａ  左内側縁部
１６ｂ  右内側縁部
１７  面ファスナーバンド
１７ａ  雄掛面
１７ｂ  雌掛面
１８  接続環
１９  バンド
２０  サイズ調整部
２１  第２実施例のサンバイザー
２２  バンド状側部
２２ａ  前半部
２２ｂ１  左後端縁部
２２ｂ２  右後端縁部
２３  張力調整部
２４  鍔部
２５  面ファスナーバンド
２６  接続環
２７  バンド
２８  サイズ調整部
２９  本体布
３０  内面布
【図１】
0003159821.tif 000003
【図２】
0003159821.tif 000004
【図３】
0003159821.tif 000005
【図４】
0003159821.tif 000006
【図５】
0003159821.tif 000007
【図６】
0003159821.tif 000008
【図７】
0003159821.tif 000009
【図８】
0003159821.tif 000010
【図９】
0003159821.tif 000011
【図１０】
0003159821.tif 000012
【図１１】
0003159821.tif 000013
【図１２】
0003159821.tif 000014
【図１３】
0003159821.tif 000015
【図１４】
0003159821.tif 000016
【図１５】
0003159821.tif 000017